(57)【要約】【課題】日没前後等の薄暗い施工現場において、集水孔の有無を一見して識別することができるソケット付ドレンパイプを提供することにある。【解決手段】地中に埋設され暗渠パイプとして用いられるドレンパイプ１において、そのドレンパイプ１の端部には他のパイプ又は配管機器等を連結するためのソケット２が装着される。そのソケット２の色がドレンパイプ１の色に対してマンセル値において明度の差が１以上である。そのため、ドレンパイプ１における集水孔８の有無を見分けることができる。【選択図】図１
0003137055.tif 000002
【実用新案登録請求の範囲】
【請求項１】
地中に埋設されて暗渠パイプとして用いられるドレンパイプにおいて、前記ドレンパイプは集水孔の有無により区分される二種類のドレンパイプからなり、そのドレンパイプの端部にはドレンパイプを他のパイプ又は配管機器と連結するためのソケットが装着され、そのソケットは前記ドレンパイプにおける集水孔の有無を見分けるための識別手段を有することを特徴とするソケット付ドレンパイプ。
【請求項２】
前記識別手段は、ソケットの色がドレンパイプの色に対してマンセル値において明度の差が１以上であることを特徴とする請求項１に記載のソケット付ドレンパイプ。
【請求項３】
前記ドレンパイプの色の明度は、マンセル値において２以下であることを特徴とする請求項１又は２に記載のソケット付ドレンパイプ。
【請求項４】
前記識別手段を有するソケットの色は、そのソケットが装着されるドレンパイプの色とは異なることを特徴とする請求項２又は３に記載のソケット付ドレンパイプ。
【請求項５】
前記集水孔が無いドレンパイプの色は黒色であり、そのドレンパイプに装着されるソケットの色は茶色であることを特徴とする請求項２ないし４のうちいずれか一項に記載のソケット付ドレンパイプ。
【請求項６】
前記識別手段は、ソケットの表面に金属箔のテープ又は金属蒸着テープが貼着されていることを特徴とする請求項１に記載のソケット付ドレンパイプ。
【考案の詳細な説明】
【技術分野】
【０００１】
本考案は、パイプ表面から集水された水を排水するソケット付ドレンパイプに係り、詳しくは暗渠として用いられるソケット付ドレンパイプに関する。
【背景技術】
【０００２】
従来、地中に暗渠として敷設されるパイプには、その表面から内部へ水が容易に透水するようにした様々な構造のドレンパイプ、あるいは、透水性は有していないが配管に用いられるドレンパイプ（排水用のパイプ）等がそれぞれの用途に応じて用いられている。透水性を有するドレンパイプとしては、例えば、透水性に優れた不織布やプラスチックの網状体によるパイプ等があり、一般的にはコルゲート管等のパイプ表面に所要ピッチで穿孔された孔を通してパイプ内へ水を導くようにした有孔ドレンパイプが多い。また、そのようなドレンパイプは塩化ビニール、ポリエチレン等の合成樹脂製のものが多い。
【０００３】
また、ドレンパイプを施工する際は、ロール状に巻回された長尺のものを巻き出しながら使用したり、定尺のものを連結して使用したりする。
【考案の開示】
【考案が解決しようとする課題】
【０００４】
農業用や土木用として用いられるドレンパイプの配管は、長尺又は定尺のいずれのドレンパイプを用いる場合においても、有孔ドレンパイプのみで配管されるものではなく、無孔ドレンパイプも一部に用いられるのが通常である。無孔ドレンパイプは、有孔ドレンパイプにより集められた水が溢れては不具合な場所や、排水ピットに近い場所等で、配管用として用いられることが多い。
【０００５】
一般に暗渠として用いられるパイプ類は耐候性を考慮してカーボンブラック等の着色剤で着色されて黒色となっているものが多く、ドレンパイプも黒色のものが多用されている。そのため、黒色の地に穿孔された孔は目立たないものとなる。従って、施工現場において、有孔パイプと無孔パイプを同時に扱う場合、日中ではあっても曇天の場合、あるいは、距離を開けて複数の場所に置かれている場合等、一見して有孔パイプであるか否かを外部から見分けるためには特段の注意を要することもある。特に、日没後も作業を継続せざるを得ない場合等、有孔か無孔かの見分けは、薄暗い環境下では難しいものとなる。
【０００６】
本考案は、日没前後等の薄暗い施工現場においても、集水孔の有無を一見して識別することができるソケット付ドレンパイプを提供することにある。
【課題を解決するための手段】
【０００７】
上記課題を解決するために請求項１に記載のソケット付ドレンパイプの考案は、地中に埋設されて暗渠パイプとして用いられるドレンパイプにおいて、前記ドレンパイプは集水孔の有無により区分される二種類のドレンパイプからなり、そのドレンパイプの端部にはドレンパイプを他のパイプ又は配管機器と連結するためのソケットが装着され、そのソケットは前記ドレンパイプにおける集水孔の有無を見分けるための識別手段を有することを特徴とするものである。
【０００８】
請求項２に記載の考案は、請求項１に記載のソケット付ドレンパイプにおいて、前記識別手段は、ソケットの色がドレンパイプの色に対してマンセル値において明度の差が１以上であることを特徴とするものである。
【０００９】
請求項３に記載の考案は、請求項１又は２に記載のソケット付ドレンパイプにおいて、前記ドレンパイプの色の明度は、マンセル値において２以下であることを特徴とするものである。
【００１０】
請求項４に記載の考案は、請求項２又は３に記載のソケット付ドレンパイプにおいて、前記識別手段を有するソケットの色は、そのソケットが装着されるドレンパイプの色とは異なることを特徴とするものである。
【００１１】
請求項５に記載の考案は、請求項２ないし４のうちいずれか一項に記載のソケット付ドレンパイプにおいて、前記集水孔が無いドレンパイプの色は黒色であり、そのドレンパイプに装着されるソケットの色は茶色であることを特徴とするものである。
【００１２】
請求項６に記載の考案は、請求項１に記載のソケット付ドレンパイプにおいて、前記識別手段は、ソケットの表面に金属箔のテープ又は金属蒸着テープが貼着されていることを特徴とするものである。
【考案の効果】
【００１３】
本考案のソケット付ドレンパイプによれば、例えば薄暗い施工現場においても、一見して有孔か無孔かを識別できる。
【考案を実施するための最良の形態】
【００１４】
（第１の実施形態）
以下、本考案を具体化したソケット付ドレンパイプの一実施形態を図１を用いて説明する。
【００１５】
図１に示すように、ドレンパイプ１は、山部３及び谷部４を有する波形の断面形状からなる外壁１１と、谷部４の裏面に融着して一体化している筒状内壁１２とからなる合成樹脂製のコルゲート管である。また、同図に示すドレンパイプ１は、谷部４と一体化している内壁１２を貫通する集水孔８が形成されているものである。山部３及び谷部４は、環状であり、ドレンパイプ１の軸方向に同一ピッチで複数形成されている。
【００１６】
ドレンパイプ１の一方の端末には、合成樹脂製のソケット２が係合されている。ソケット２には係合リブ５が複数形成され、それぞれの係合リブ５はドレンパイプ１の谷部４に嵌まり込むことが可能な形状とされ、谷部４のピッチに合わせて配置されている。ソケット２の拡径されている端部６からソケット２内にドレンパイプ１の端末を挿入すれば、係合リブ５と山部３とはぶつかり合っても相互に弾性変形するので、ドレンパイプ１の端末は容易にソケット２内へ挿入される。そして、係合リブ５と谷部４とが所定の位置で係合したとき、ソケット２のドレンパイプ１に対する装着が完了する。
【００１７】
本実施形態において識別手段を有するソケット２は、茶色に材料着色されたポリエチレンのブロー成形品である。また、ドレンパイプ１は黒色に材料着色されたポリエチレンの押出成形品である。黒色であるドレンパイプ１のマンセル値による明度は１．５であり、同じく茶色のソケット２の明度は３である。このように、ドレンパイプ１とソケット２とのマンセル値の明度の差が１以上であれば、ソケット２の色又は明度がドレンパイプ１の色又は明度と同一の場合又は近似している場合に比較して、容易にその違いを視認することができる。
【００１８】
従って、集水孔８の有無に関わる二種類のドレンパイプ１を同時に扱う場合において、例えば、集水孔８が無いドレンパイプ１に装着するソケット２を茶色とし、集水孔８が有るドレンパイプ１に装着するソケット２の色をドレンパイプ１と同色又は近似色とすれば、集水孔の有無が容易に識別できる。この例に従えば、図１に示したソケット２の色はドレンパイプ１の色と同色又は近似色であり、ソケット２は識別手段を有していないことになる。排水施設を必要とする施工現場において、集水孔８については、有孔のドレンパイプ１の数のほうが無孔のドレンパイプ１の数よりも多い。そのため、サイズの異なるソケット２を成形する工程における材料の色変えを考慮すれば、数多く用いられるソケット２の色をドレンパイプ１の色と同色又は近似色にした方がコスト上のメリットがある。
【００１９】
上記実施形態のソケット付ドレンパイプによれば、以下のような効果を得ることができる。
（１）上記実施形態では、集水孔８が無いドレンパイプ１に装着するソケット２の色を茶色としてドレンパイプ１の黒色に対してマンセル値における明度の差を１．５とした。また、集水孔８を有するドレンパイプ１に装着されるソケット２はドレンパイプ１と同色にした。そのため、集水孔８の有無の確認が困難な薄暗い環境下においても、ドレンパイプ１が集水孔を有するか否かの識別ができる。
【００２０】
（２）上記実施形態では、集水孔８が無く数が少ないドレンパイプ１に装着されるソケット２の色のみを茶色として識別手段とした。また、集水孔８を有した数が多いドレンパイプ１に装着されるソケット２の色をドレンパイプ１と同色とした。そのため、サイズの異なるソケット２を成形する際、色変えに係る工数の増大を防ぐことができる。
【００２１】
（第２の実施形態）
次に、本考案を具体化したソケット付ドレンパイプの第２の実施形態を図２を用いて説明する。なお、第２の実施形態は、第１の実施形態において、ソケット２の明度の選択により識別手段としたことに替えてテープを貼着した構成であるため、同様の部分についてはその詳細な説明を省略する。
【００２２】
図２に示すように、ソケット２の色はドレンパイプ１の色と同色のままとして、ソケット２の外周に金属箔のテープである反射テープ７を貼着した。そうすることにより、例えば日没前後の薄暗い施工現場において、反射テープ７が貼着されたソケット２のみが他所から届く光を反射するので、テープが貼着されていないソケット２との差を明確に視認できる。
【００２３】
従って、第２の実施形態によれば、第１の実施形態に記載の効果に加えて以下の効果を得ることができる。
（３）上記実施形態では、識別すべきソケット２の外周に反射テープ７を貼着した。そのため、薄暗い施工現場にあっても、反射テープ７が他所から届く光を反射するので、反射テープ７が貼着されていないソケット２との差を明確に視認できる。
【００２４】
（変更例）
なお、本実施形態は以下のように変更してもよい。
・前記実施形態では、数の少ない無孔のドレンパイプ１に装着するソケット２に識別手段を設けたが、無孔のドレンパイプ１に装着するソケット２には識別手段を設けず、数の多い有孔のドレンパイプ１に装着するソケット２に識別手段を設けてもよい。
・前記実施形態では、ドレンパイプをコルゲート管としたが、単純な円筒状のパイプであってもよい。
【図面の簡単な説明】
【００２５】
【図１】第１実施形態のソケット付ドレンパイプの一部断面の正面図。
【図２】第２実施形態のソケット付ドレンパイプの正面図。
【符号の説明】
【００２６】
１…ドレンパイプ、２…ソケット、３…山部、４…谷部、５…係合リブ、６…端部、７…反射テープ、８…集水孔
【図１】
0003137055.tif 000003
【図２】
0003137055.tif 000004